(57)【要約】【課題】排気ブレーキバルブの目詰まりが発生したことを適切なタイミングで警告する。【解決手段】ＥＣＵ１０は、車両の煤煙除去フィルタにおける再生が行われている間に、吸気管３又は排気管７における流量を取得する流量取得手段と、流量取得手段が取得した流量が、排気量を調整するための排気ブレーキバルブ８が閉塞している可能性があることを示す所定の条件を満たす場合に、排気ブレーキバルブ８を一時的に開放した後に、ＤＰＦフィルタ９における再生を実行する際の開度として予め設定された開度に排気ブレーキバルブ８の開度を戻すバルブ制御手段と、を有する。【選択図】図１
2018040284.tif 000002
【特許請求の範囲】
【請求項１】
車両の煤煙除去フィルタにおける再生が行われている間に、吸気路又は排気路における流量を取得する流量取得手段と、
前記流量取得手段が取得した前記流量が、排気量を調整するための排気ブレーキバルブが閉塞している可能性があることを示す所定の条件を満たす場合に、前記排気ブレーキバルブを一時的に開放した後に、前記煤煙除去フィルタにおける再生を実行する際の開度として予め設定された開度に前記排気ブレーキバルブの開度を戻すバルブ制御手段と、
を有する制御装置。
【請求項２】
前記バルブ制御手段は、前記車両のエンジンの回転数を取得し、前記流量取得手段が取得した前記流量が、前記回転数に関連付けられた閾値未満であることを前記所定の条件の一つとして、前記排気ブレーキバルブを開放する、
請求項１に記載の制御装置。
【請求項３】
前記流量取得手段が取得した前記流量が、前記回転数に関連付けられた閾値未満になった回数を記憶する記憶手段をさらに有し、
前記バルブ制御手段は、前記記憶手段に記憶された前記回数が所定の回数以上になったことを前記所定の条件の一つとして、前記排気ブレーキバルブを開放する、
請求項２に記載の制御装置。
【請求項４】
前記バルブ制御手段は、前記所定の条件が満たされたことにより前記排気ブレーキバルブを開放した回数を前記記憶手段に記憶させ、前記記憶手段に記憶された前記排気ブレーキバルブを開放した回数が所定の閾値以上になった場合に警告情報を出力する、
請求項３に記載の制御装置。
【請求項５】
前記バルブ制御手段は、前記排気ブレーキバルブを開放してから所定の時間が経過するまでは、前記流量取得手段が取得した前記流量によらず、前記煤煙除去フィルタにおける再生を実行する際の開度として予め設定された開度に前記排気ブレーキバルブの開度を維持する、
請求項１から４のいずれか一項に記載の制御装置。
【請求項６】
車両の煤煙除去フィルタにおける再生が行われている間に、吸気路又は排気路における流量を取得するステップと、
前記流量が、排気量を調整するための排気ブレーキバルブが閉塞している可能性があることを示す所定の条件を満たす場合に、前記排気ブレーキバルブを一時的に開放した後に、前記煤煙除去フィルタにおける再生を実行する際の開度として予め設定された開度に前記排気ブレーキバルブの開度を戻すステップと、
を有する制御方法。
【発明の詳細な説明】
【技術分野】
【０００１】
本発明は、排気ブレーキバルブを制御するための制御装置及び制御方法に関する。
【背景技術】
【０００２】
ディーゼルエンジンを搭載した車両の減速運転中の制動力を補助する方法として、排気ブレーキバルブを用いる方法が知られている。特許文献１には、減速中に排気ブレーキバルブを閉じることにより排気ガスの圧力を上昇させ、ディーゼルエンジンに大きな負荷トルクを発生させることで制動力を高める技術が開示されている。
【先行技術文献】
【特許文献】
【０００３】
【特許文献１】特開２００５−３１５１９０号公報
【発明の概要】
【発明が解決しようとする課題】
【０００４】
排気ブレーキバルブは、エンジンからの排気路上に設けられているので、エンジンから排出される煤煙（ＳＯＯＴ）が通過する。排気ブレーキバルブに煤煙が堆積することによって排気ブレーキバルブが目詰まりしてしまうと排気温度が上昇し、エンジンに想定以上の排気圧力がかかってしまう。その結果、排気温度の上昇によりエンジンの着火遅れによる異常燃焼が発生し、エンジンの故障が引き起こされてしまう。
【０００５】
そこで、燃料の噴射量が上昇したことによってエンジン負荷が大きくなったことを検出し、エンジン負荷が大きくなった原因として考えられる排気ブレーキバルブの点検を促す警告表示をするという方法も考えられる。しかし、例えばパワーテイクオフ（ＰＴＯ：Power Take Off）を動作させる場合のように、排気圧力が高くなっていないにもかかわらず燃料噴射量が上昇する場合もあり、燃料噴射量を用いると、排気ブレーキバルブが目詰まりしていないにもかかわらず警告表示をしてしまう虞がある。
【０００６】
そこで、本発明はこれらの点に鑑みてなされたものであり、排気ブレーキバルブの目詰まりが発生したことを適切なタイミングで警告できるようにするための制御装置を提供することを目的とする。
【課題を解決するための手段】
【０００７】
本発明の制御装置は、車両の煤煙除去フィルタにおける再生が行われている間に、吸気路又は排気路における流量を取得する流量取得手段と、前記流量取得手段が取得した前記流量が、排気量を調整するための排気ブレーキバルブが閉塞している可能性があることを示す所定の条件を満たす場合に、前記排気ブレーキバルブを一時的に開放した後に、前記煤煙除去フィルタにおける再生を実行する際の開度として予め設定された開度に前記排気ブレーキバルブの開度を戻すバルブ制御手段と、を有する。
【０００８】
前記バルブ制御手段は、例えば、前記車両のエンジンの回転数を取得し、前記流量取得手段が取得した前記流量が、前記回転数に関連付けられた閾値未満であることを前記所定の条件の一つとして、前記排気ブレーキバルブを開放する。
【０００９】
制御装置は、前記流量取得手段が取得した前記流量が、前記回転数に関連付けられた閾値未満になった回数を記憶する記憶手段をさらに有し、前記バルブ制御手段は、前記記憶手段に記憶された前記回数が所定の回数以上になったことを前記所定の条件の一つとして、前記排気ブレーキバルブを開放してもよい。
【００１０】
前記バルブ制御手段は、前記所定の条件が満たされたことにより前記排気ブレーキバルブを開放した回数を前記記憶手段に記憶させ、前記記憶手段に記憶された前記排気ブレーキバルブを開放した回数が所定の閾値以上になった場合に警告情報を出力してもよい。
【００１１】
前記バルブ制御手段は、前記排気ブレーキバルブを開放してから所定の時間が経過するまでは、前記流量取得手段が取得した前記流量によらず、前記煤煙除去フィルタにおける再生を実行する際の開度として予め設定された開度に前記排気ブレーキバルブの開度を維持してもよい。
【００１２】
本発明の制御方法は、車両の煤煙除去フィルタにおける再生が行われている間に、吸気路又は排気路における流量を取得するステップと、前記流量が、排気量を調整するための排気ブレーキバルブが閉塞している可能性があることを示す所定の条件を満たす場合に、前記排気ブレーキバルブを一時的に開放した後に、前記煤煙除去フィルタにおける再生を実行する際の開度として予め設定された開度に前記排気ブレーキバルブの開度を戻すステップと、を有する。
【発明の効果】
【００１３】
本発明によれば、排気ブレーキバルブの目詰まりが発生したことを適切なタイミングで警告できるという効果を奏する。
【図面の簡単な説明】
【００１４】
【図１】本実施形態に係る車両の吸排気系１の模式図である。
【図２】ＣＰＵ１０１が実行する排気圧力解放動作のフローチャートである。
【発明を実施するための形態】
【００１５】
［吸排気系１の構成］
図１は、本実施形態に係る車両の吸排気系１の模式図である。吸排気系１は、エンジン２と、吸気管３と、吸気マニホールド４と、排気マニホールド５と、流量センサ６と、排気管７と、排気ブレーキバルブ８と、煤煙除去フィルタ９（ＤＰＦ：Diesel Particulate Filter）と、ＥＣＵ１０（Engine Control Unit）とを有する。
【００１６】
エンジン２は、ディーゼルエンジンである。吸気管３は、エンジン２が燃焼に用いる空気を供給する。吸気マニホールド４は、吸気用のインテークマニホールドである。排気マニホールド５は、排気用のエキゾーストマニホールドである。
流量センサ６は、吸気マニホールド４に供給される吸気量を検出する。流量センサ６は、検出した吸気量をＥＣＵ１０に通知する。
【００１７】
排気管７は、エンジン２の排気を外部に出力するための管である。
排気ブレーキバルブ８は、排気管７に設けられており、ＥＣＵ１０の制御に基づいて開閉することによりエンジン２からの排気量を調整する。排気ブレーキバルブ８が閉じた状態になると、エンジン２の排気圧力が上昇することにより制動力が発生する。
【００１８】
煤煙除去フィルタ９は、排気に含まれるＳＯＦ（Soluble Organic Fraction）及び煤煙などの粒子状物質（ＰＭ：Particulate Matter）を捕集する。煤煙除去フィルタ９は、主としてセラミックから構成される細孔を有しており、ＰＭを一時的に捕集する。
【００１９】
煤煙除去フィルタ９に捕集されたＰＭの堆積量が増加すると排気が流れにくくなり、エンジン２の排圧が上昇してエンジン２の特性が低下する。そこで、煤煙除去フィルタ９に堆積したＰＭを燃焼により除去するＤＰＦ再生を実行する必要がある。ＤＰＦ再生時には、排気温度を上昇させるための燃料噴射によって排気温度を上昇させてＤＰＦを昇温させることで、ＤＰＦに捕集されているＰＭを燃焼させる。
【００２０】
ＥＣＵ１０は、吸排気系１を始めとする車両の各部を制御する制御装置である。ＥＣＵ１０は、プログラムを実行することにより動作するＣＰＵ１０１（Central Processing Unit）及び各種のデータを記憶する記憶部１０４を有している。記憶部１０４は、例えばＲＯＭ（Read Only Memory）及びＲＡＭ（Random Access Memory）等の記憶媒体を有している。
【００２１】
ＣＰＵ１０１は、プログラムを実行することにより、流量取得部１０２及びバルブ制御部１０３として機能し、吸気流量に基づいて排気ブレーキバルブ８の開閉状態を制御する。流量取得部１０２は、ＤＰＦ再生中に流量センサ６が検出した吸気流量を取得し、バルブ制御部１０３は、取得された吸気流量に基づいて、排気ブレーキバルブ８が閉塞している可能性があることを示す所定の条件を満たす場合に、排気ブレーキバルブ８を一時的に開放した後に所定の開度に絞ることにより、排気圧力を解放する。バルブ制御部１０３が排気ブレーキバルブ８を制御することにより排気圧力を解放する動作の詳細については後述する。
【００２２】
記憶部１０４は、例えばＣＰＵ１０１が実行するプログラムを記憶している。また、記憶部１０４は、車両が停止してＤＰＦ再生を実行している間における正常時のエンジン回転数と基準吸気流量との関係を示す流量テーブルを記憶している。
【００２３】
また、記憶部１０４は、流量センサ６が検出した吸気流量が、エンジン回転数に関連付けられた閾値以下になった回数を示す判定カウント値を記憶している。ＣＰＵ１０１は、記憶部１０４に記憶された判定カウント値が示す回数が所定の回数以上になったことを所定の条件の一つとして、ＤＰＦ再生中に排気ブレーキバルブ８を一時的に開放する。
【００２４】
さらに、記憶部１０４は、所定の条件が満たされたことにより、ＤＰＦ再生中に排気圧力を解放するために排気ブレーキバルブ８を開放する動作が行われた回数を記憶している。ＣＰＵ１０１は、記憶部１０４に記憶された排気ブレーキバルブ８を開放した回数が所定の閾値以上になった場合に、排気ブレーキバルブ８の点検が必要であると判定し、例えばインスツルメントパネルに警告情報を出力する。
【００２５】
［排気圧力解放動作］
図２は、ＣＰＵ１０１が実行する排気圧力解放動作のフローチャートである。
まず、ＣＰＵ１０１は、ＤＰＦ再生中であるかどうかを判定する（Ｓ１１）。ＣＰＵ１０１は、例えば、運転者が再生を開始する操作をすることにより再生が開始する手動再生が行われているかどうかを判定する。ＣＰＵ１０１は、ＤＰＦ再生中である場合（Ｓ１１においてＹＥＳ）、記憶部１０４を参照し、過去にＤＰＦ再生中に排気ブレーキバルブ８を開放する動作を実行してから所定の時間（例えば５分）が経過しているかどうかを判定する（Ｓ１２）。
【００２６】
ＣＰＵ１０１は、排気ブレーキバルブ８を開放してから所定の時間が経過するまでは（Ｓ１２においてＮＯ）、流量センサ６が検出した吸気流量によらず、煤煙除去フィルタにおける再生を実行する際の開度として予め設定された開度に排気ブレーキバルブ８の開度を維持してステップＳ１１に戻る。このようにすることで、ＣＰＵ１０１は、頻繁に排気ブレーキバルブ８を開放することによりＤＰＦ再生が正常に行われなくなることを防止できる。ＣＰＵ１０１は、所定の時間が経過している場合（Ｓ１２においてＹＥＳ）、ステップＳ１３に進む。
【００２７】
続いて、ＣＰＵ１０１は、エンジン回転数を検出するセンサ（不図示）からエンジン回転数を取得するとともに、流量センサ６から吸気流量を取得する（Ｓ１３）。ＣＰＵ１０１は、流量センサ６が検出した吸気流量が、エンジン回転数に関連付けられた閾値未満であることを所定の条件の一つとして、排気ブレーキバルブ８を開放する。
【００２８】
ＣＰＵ１０１は、例えば、記憶部１０４が記憶している流量テーブルを参照し、ステップＳ１３において取得したエンジン回転数に対応する基準吸気流量と、流量センサ６から取得した吸気流量とを比較する。ＣＰＵ１０１は、特定した吸気流量が基準吸気流量よりも少なく、排気ブレーキバルブ８が閉塞している可能性があると判定した場合（Ｓ１４においてＹＥＳ）、排気ブレーキバルブ８を開放するかどうかの判定に用いる判定カウンタの値を１だけ加算する（Ｓ１５）。
【００２９】
逆に、ＣＰＵ１０１は、特定した吸気流量が基準吸気流量以上であり、排気ブレーキバルブ８が閉塞している可能性がないと判定した場合（Ｓ１４においてＮＯ）、排気ブレーキバルブ８を開放するかどうかの判定に用いる判定カウンタの値を１だけ減算する（Ｓ１６）。
なお、大気圧が低い場合には吸気流量が小さくなるので、ＣＰＵ１０１は、大気圧が所定の値よりも小さい場合に、ステップＳ１４の判定を行わないものとしてもよい。
【００３０】
続いて、ＣＰＵ１０１は、判定カウンタの値が所定の閾値に達したかどうかを判定する（Ｓ１７）。ＣＰＵ１０１は、判定カウンタの値が所定の閾値に達した場合（Ｓ１７においてＹＥＳ）、流量センサ６において検出された吸気流量が基準吸気流量よりも小さい状態が継続していると考えられることから、排気ブレーキバルブ８を一時的に開放する（Ｓ１８）。ＣＰＵ１０１は、排気ブレーキバルブ８を開放してから所定の時間（例えば１秒）が経過するまで待機し（Ｓ１９においてＮＯ）、所定の時間が経過した場合（Ｓ１９においてＹＥＳ）、排気ブレーキバルブ８の開度がＤＰＦ再生時の開度として設定されている開度になるように排気ブレーキバルブ８を絞るように制御する（Ｓ２０）。
【００３１】
続いて、ＣＰＵ１０１は、記憶部１０４が記憶している、ＤＰＦ再生中に排気ブレーキバルブ８を開放した回数を示す開放回数値に１を加算することにより、開放回数値を更新する（Ｓ２１）。ＣＰＵ１０１は、開放回数値が所定の値以上になった場合、インスツルメントパネルに警告表示をすることにより、運転者に対して、排気ブレーキバルブ８の点検が必要であることを通知する。
【００３２】
なお、ＣＰＵ１０１は、所定の回数にわたって、ＤＰＦ再生中に吸気流量が基準吸気流量よりも少なくなる状態が発生せず、排気ブレーキバルブ８を開放しないままＤＰＦ再生が成功した場合、開放回数値をリセットして０回に戻す。このようにすることで、一時的に排気ブレーキバルブ８に煤煙が付着したことにより排気ブレーキバルブ８の開放が必要になりながらも、排気ブレーキバルブ８を開放したことによって煤煙が除去されて排気ブレーキバルブ８が正常になった場合に、開放回数値が累積されないので、判定精度を向上させることができる。
【００３３】
（変形例）
上記の説明においては、ＣＰＵ１０１は、流量センサ６が検出した吸気流量に基づいて、排気ブレーキバルブ８が閉塞している可能性があるかどうかを判定したが、ＣＰＵ１０１は、不図示の排気流量センサが検知した排気流量に基づいて、排気ブレーキバルブ８が閉塞している可能性があるかどうかを判定してもよい。
【００３４】
［本実施形態の制御装置（ＥＣＵ１０）による効果］
本実施形態のＥＣＵ１０は、吸気流量が、排気量を調整するための排気ブレーキバルブ８が閉塞している可能性があることを示す所定の条件を満たす場合に、排気ブレーキバルブ８を一時的に開放した後に、ＤＰＦフィルタ９における再生を実行する際の開度として予め設定された開度に排気ブレーキバルブ８の開度を戻す。このようにすることで、排気ブレーキバルブ８が閉塞していたとしても、排気温度及び排気圧力が一時的に低下し、エンジン２に与える負荷を軽減できるので、点検を促す警告を速やかに出さなくてもよくなる。そして、排気ブレーキバルブ８を一時的に開放した後に、ＤＰＦフィルタ９における再生を実行する際の開度として予め設定された開度に排気ブレーキバルブ８の開度を戻すので、ＤＰＦ再生を継続することができる。
【００３５】
また、ＥＣＵ１０は、排気ブレーキバルブ８が閉塞している可能性があるか否かを判定する条件として、エンジン回転数に対応する吸気流量を用いる。ＥＣＵ１０は、エンジン回転数がほぼ一定のＤＰＦ再生中に判定をすることにより、判定の精度を向上させることができる。
【００３６】
また、ＥＣＵ１０は、吸気流量がエンジン回転数に関連付けられた閾値未満になった回数を記憶し、記憶した回数が所定の回数以上になった場合に、排気ブレーキバルブ８を開放する。このようにすることで、エンジン回転数や吸気流量の測定誤差の影響を排除し、排気ブレーキバルブ８が閉塞している可能性があると判定する精度を向上させることができる。
【００３７】
また、ＥＣＵ１０は、所定の条件が満たされたことにより排気ブレーキバルブ８を開放した回数を記憶部１０４に記憶させ、記憶部１０４に記憶された排気ブレーキバルブ８を開放した回数が所定の閾値以上になった場合に警告情報を出力する。このようにすることで、ＥＣＵ１０は、点検が必要である可能性が高まった際に、運転者に警告をすることができるので、エンジン２が故障してしまうことを防止できる。
【００３８】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００３９】
１  吸排気系
２  エンジン
３  吸気管
４  吸気マニホールド
５  排気マニホールド
６  流量センサ
７  排気管
８  排気ブレーキバルブ
９  煤煙除去フィルタ
１０  ＥＣＵ
１０１  ＣＰＵ
１０２  流量取得部
１０３  バルブ制御部
１０４  記憶部
【図１】
2018040284.tif 000003
【図２】
2018040284.tif 000004